(57)【特許請求の範囲】
【請求項１】
遊技盤に設けられており、遊技球を受入れる受入れ口を開閉する１対の羽根状の羽根部材と、前記受入れ口に受入れられた遊技球を検出する検出手段と、この検出手段により検出された遊技球を計数する計数手段と、この計数手段による計数値が所定値に達した場合に前記各羽根部材をそれぞれ動作させて前記受入れ口を閉口させる制御手段とを備えた遊技球受入れ装置において、
前記遊技盤には、前記受入れ口に受入れられた遊技球を前記遊技盤の裏側へ案内する通路が貫通形成されており、
前記各羽根部材は、
それぞれ回動軸を中心に回動することにより前記受入れ口を開閉し、開口時には、前記遊技盤の盤面を流下する遊技球を受入れる方向に前記受入れ口を開口するとともに、前記受入れ口に受入れられた遊技球を前記通路の入り口へ誘導する誘導面をそれぞれ上面に形成し、かつ、閉口時には、前記誘導面により誘導されている遊技球を前記盤面に放出する放出口を、前記受入れ口に受入れられた遊技球の流下方向に開口し、
前記制御手段は、前記計数手段が前記所定値を計数した場合に前記各羽根部材を回動させて前記受入れ口を閉口し、前記誘導面により誘導されており前記検出手段により検出されていない遊技球を前記放出口から前記盤面に放出することを特徴とする遊技球受入れ装置。
【請求項２】
遊技盤に設けられており、遊技球を受入れる受入れ口を開閉する可動部材と、前記受入れ口に受入れられた遊技球を検出する検出手段と、この検出手段により検出された遊技球を計数する計数手段と、この計数手段による計数値が所定値に達した場合に前記可動部材を動作させて前記受入れ口を閉口させる制御手段とを備えた遊技球受入れ装置において、
前記遊技盤には、前記受入れ口に受入れられた遊技球を前記遊技盤の裏側へ案内する通路が貫通形成されており、
前記検出手段は、前記遊技盤の裏側に設けられており、
前記可動部材は、
前記通路の開口部に開閉可能に取付けられており、かつ、開口時には、前記通路から前記遊技盤の盤面の前面に突出して前記盤面を流下する遊技球を受入れて前記検出手段へ誘導する第１の姿勢となるとともに、前記受入れ口に受入れられた遊技球を前記通路の入り口へ誘導する誘導面を上面に形成し、さらに、閉口時には、前記誘導面により誘導されている遊技球を前記盤面に放出する放出口を前記受入れ口の下方に形成し、閉口する前に受入れた遊技球の誘導経路を前記検出手段に向かう経路から前記放出口に向かう経路に変化させる第２の姿勢となり、
前記制御手段は、前記計数手段が前記所定値を計数した場合に前記可動部材を前記第２の姿勢に動作させて前記受入れ口を閉口し、前記受入れ口に受入れられており前記検出手段により検出されていない遊技球を前記放出口から前記盤面に放出することを特徴とする遊技球受入れ装置。
【請求項３】
前記遊技盤の盤面に戻された遊技球の流下方向に前記受入れ口とは別の受入れ口を備えたことを特徴とする請求項１または請求項２に記載の遊技球受入れ装置。
【請求項４】
前記制御手段は、所定の遊技状態のときに前記受入れ口を複数回開閉動作させることを特徴とする請求項１ないし請求項３のいずれか１つに記載の遊技球受入れ装置。
【発明の詳細な説明】
【０００１】
【産業上の利用分野】
この発明は、所定の遊技条件を満たした場合に、遊技球を受入れる受入れ口を開閉する遊技機に備えられた遊技球受入れ装置に関する。
【０００２】
【従来の技術】
従来、この種の遊技球受入れ装置として、たとえば図１３ないし図１６に示す第１種のパチンコ機に備えられた変動入賞装置が知られている。
図１３は、羽根式の変動入賞装置を備えた従来のパチンコ機の正面説明図である。図１４（Ａ）は、図１３に示すパチンコ機に設けられた変動入賞装置に遊技球が入賞する様子を示す説明図であり、図１４（Ｂ）は、図１３に示す変動入賞装置に入賞した遊技球の流下経路を示す説明図である。図１５は、扉式の変動入賞装置を備えた従来のパチンコ機の正面説明図である。図１６（Ａ）は、
図１５に示すパチンコ機に設けられた変動入賞装置に遊技球が入賞する様子を示す説明図であり、図１６（Ｂ）は、図１５に示す変動入賞装置に入賞した遊技球の流下経路を示す説明図である。
【０００３】
図１３に示す従来のパチンコ機５００では、図示しない発射装置から発射された遊技球が、遊技盤５０２に設けられた第１種始動口５０４を通過すると、特別図柄表示装置５０６が「０」〜「９」などの特別図柄を横方向の３箇所において、それぞれ上下にスクロール表示し、それら３箇所の停止図柄が同じ特別図柄に揃うと大当りが発生する。そして、変動入賞装置５１０に設けられた羽根式の羽根部材５１２，５１２が開放動作し、大入賞口５１４，５１４を所定時間開口する。図１４（Ａ）に示すように、大入賞口５１４，５１４に入賞した遊技球Ｐは、図１４（Ｂ）に示すように、遊技盤５０２に貫通形成された通路５１６から遊技盤５０２の裏面に流出し、流下経路５１８を経て検出スイッチ５２０により検出され、集合樋（図示省略）に排出される。また、ＣＰＵ５２２は、検出スイッチ５２０からの検出信号により、大入賞口５１４，５１４への入賞数を計数し、その計数値に対応した賞球が払出される。
【０００４】
そして、ＣＰＵ５２２は、大入賞口５１４，５１４の開口時間が所定時間（たとえば３０秒）に達したか、あるいは大入賞口５１４，５１４への入賞数が所定数（たとえば１０個）に達すると羽根部材５１２，５１２を閉口動作させ、大入賞口５１４，５１４を閉口する。このとき、大入賞口５１４，５１４に入賞した入賞球が、変動入賞装置５１０の内部に設けられた特定領域（図示省略）を通過すると、連続して大入賞口５１４，５１４が開口する。このように、大入賞口５１４，５１４の開口から閉口までを１ラウンドとして、遊技球が上記特定領域を通過することを条件に、所定回数のラウンド（たとえば１６ラウンド）を遊技可能となる。
【０００５】
また、図１５に示す従来のパチンコ機６００も、変動入賞装置６１０の構造が異なる他は、図１３に示したパチンコ機５００と同様の制御が行われる。つまり、大当りが発生すると、変動入賞装置６１０に設けられた扉式の可動部材６１２が開放動作し、大入賞口６１４が所定時間開口する。そして、図１６（Ａ）に示すように、開口した大入賞口６１４に入賞した遊技球Ｐは、図１６（Ｂ）に示すように、遊技盤５０２に貫通形成された通路５１６から遊技盤５０２の裏面に流出し、流下経路５１８を経て検出スイッチ５２０により検出され、集合樋（図示省略）に排出される。また、ＣＰＵ５２２は、検出スイッチ５２０からの検出信号により、大入賞口６１４への入賞数を計数し、その計数値に対応した賞球が払出される。
【０００６】
そして、ＣＰＵ５２２は、大入賞口６１４の開口時間が所定時間（たとえば３０秒）に達したか、あるいは大入賞口６１４への入賞数が所定数（たとえば１０個）に達すると可動部材６１２を閉口動作させ、大入賞口６１４を閉口する。このとき、大入賞口６１４に入賞した入賞球が、変動入賞装置６１０の内部に設けられた特定領域（図示省略）を通過すると、連続して大入賞口６１４が開口する。このように、大入賞口６１４の開口から閉口までを１ラウンドとして、遊技球が上記特定領域を通過することを条件に、所定回数のラウンド（たとえば１６ラウンド）を遊技可能となる。
【０００７】
【発明が解決しようとする課題】
しかし、図１４に示すように、従来のパチンコ機５００は、遊技球Ｐが大入賞口５１４，５１４に入賞してから検出スイッチ５２０に至るまでの距離が長い。このため、ＣＰＵ５２２が入賞数（たとえば１０個）を計数し、羽根部材５１２，５１２を閉口したときには、既に幾つかの遊技球が大入賞口５１４，５１４から入賞しており、羽根部材５１２，５１２の上を通路５１６に向けて流下していたり、あるいは、既に流下経路５１８を流下していたりする場合がある。これらの遊技球は、やがて検出スイッチ５２０により検出されるため、その検出数に対応した賞球が払出されることになる。
つまり、検出スイッチ５２０によるカウント数が一定しないため、大当りにより遊技者が獲得する賞球数に差が出るという問題がある。また、従来のパチンコ機６００についても、同様に、大入賞口６１４から検出スイッチ５２０に至るまでの距離が長いため、パチンコ機５００と同様の上記問題がある。
なお、大入賞口の入り口付近において遊技盤に打ち込まれている釘の間隔や配置を調整することにより、大入賞口へ一度に多くの遊技球が入賞しないように制限する試みもなされているが、同じタイミングで多くの遊技球が入賞するという大当り特有の醍醐味が失われてしまうため、好ましくない。
【０００８】
そこで、この発明は、上記問題を解決するためになされたものであり、大当りにより遊技者が獲得する賞球数の差を小さくすることができる遊技球受入れ装置を実現することを目的とする。
【０００９】
【課題を解決するための手段・作用および効果】
この発明は、上記目的を達成するため、請求項１に記載の発明では、遊技盤に設けられており、遊技球を受入れる受入れ口を開閉する１対の羽根状の羽根部材と、前記受入れ口に受入れられた遊技球を検出する検出手段と、この検出手段により検出された遊技球を計数する計数手段と、この計数手段による計数値が所定値に達した場合に前記各羽根部材をそれぞれ動作させて前記受入れ口を閉口させる制御手段とを備えた遊技球受入れ装置において、前記遊技盤には、前記受入れ口に受入れられた遊技球を前記遊技盤の裏側へ案内する通路が貫通形成されており、前記各羽根部材は、それぞれ回動軸を中心に回動することにより前記受入れ口を開閉し、開口時には、前記遊技盤の盤面を流下する遊技球を受入れる方向に前記受入れ口を開口するとともに、前記受入れ口に受入れられた遊技球を前記通路の入り口へ誘導する誘導面をそれぞれ上面に形成し、かつ、閉口時には、前記誘導面により誘導されている遊技球を前記盤面に放出する放出口を、前記受入れ口に受入れられた遊技球の流下方向に開口し、前記制御手段は、前記計数手段が前記所定値を計数した場合に前記各羽根部材を回動させて前記受入れ口を閉口し、前記誘導面により誘導されており前記検出手段により検出されていない遊技球を前記放出口から前記盤面に放出するという技術的手段を用いる。
【００１０】
開口した羽根部材の受入れ口に遊技球が受入れられると、その受入れられた遊技球は検出手段により検出され、計数手段により計数される。そして、制御手段は、計数手段による計数値が所定値に達した場合に羽根部材を動作させて受入れ口を閉口させる。このとき、受入れ口に受入れられており、検出手段により検出されていない遊技球は、遊技盤の盤面に放出される。
つまり、受入れ口が閉口するときに、受入れ口に受入れられている遊技球を遊技盤の盤面に放出することができるため、受入れ口に受入れられている遊技球が検出手段により検出されないようにすることができる。
したがって、検出手段による余分な検出数を減少させる遊技球受入れ装置を実現することができる。
たとえば、大当りのときに一度に多くの遊技球が入賞口（受入れ口）に入賞可能なパチンコ機にあっては、遊技球の余分な入賞を減少させることができるため、遊技者が獲得する賞球数の差を減少させることができる。また、検出手段により検出されない遊技球を視認できるため、受入れられた遊技球が検出されたか否か分からないという疑問を遊技者に抱かせるおそれもない。
また、受入れ口を開口した羽根部材に受入れられた遊技球は、羽根部材の誘導面により通路の入り口へ誘導され、その通路を通って遊技盤の裏側へ案内される。また、受入れ口を閉口するときに誘導面により誘導されている遊技球は、放出口を通って盤面に放出される。
つまり、羽根部材は、遊技球を受入れる受入れ口と、誘導面により誘導されている遊技球を盤面に放出する放出口とを備えており、遊技球の受入れおよび放出の２つの作用をする。
したがって、遊技球の受入れを行う手段および放出を行う手段の２つの手段を用いる場合よりも簡易な構成にすることができる。
さらに、受入れ口に受入れられた遊技球は、その受入れ口が閉口するときに、自身の流下方向に開口された放出口から盤面の上に放出される。
つまり、受入れ口に受入れられた遊技球を、その流れを利用して自然に放出できる。
したがって、遊技球をその流れに逆らって放出するための特別な手段を設ける必要がない。
【００１１】
請求項２に記載の発明では、遊技盤に設けられており、遊技球を受入れる受入れ口を開閉する可動部材と、前記受入れ口に受入れられた遊技球を検出する検出手段と、この検出手段により検出された遊技球を計数する計数手段と、この計数手段による計数値が所定値に達した場合に前記可動部材を動作させて前記受入れ口を閉口させる制御手段とを備えた遊技球受入れ装置において、前記遊技盤には、前記受入れ口に受入れられた遊技球を前記遊技盤の裏側へ案内する通路が貫通形成されており、前記検出手段は、前記遊技盤の裏側に設けられており、前記可動部材は、前記通路の開口部に開閉可能に取付けられており、かつ、開口時には、前記通路から前記遊技盤の盤面の前面に突出して前記盤面を流下する遊技球を受入れて前記検出手段へ誘導する第１の姿勢となるとともに、前記受入れ口に受入れられた遊技球を前記通路の入り口へ誘導する誘導面を上面に形成し、さらに、閉口時には、前記誘導面により誘導されている遊技球を前記盤面に放出する放出口を前記受入れ口の下方に形成し、閉口する前に受入れた遊技球の誘導経路を前記検出手段に向かう経路から前記放出口に向かう経路に変化させる第２の姿勢となり、前記制御手段は、前記計数手段が前記所定値を計数した場合に前記可動部材を前記第２の姿勢に動作させて前記受入れ口を閉口し、前記受入れ口に受入れられており前記検出手段により検出されていない遊技球を前記放出口から前記盤面に放出するという技術的手段を用いる。
【００１２】
開口した可動部材の受入れ口に遊技球が受入れられると、その受入れられた遊技球は検出手段により検出され、計数手段により計数される。そして、制御手段は、計数手段による計数値が所定値に達した場合に可動部材を動作させて受入れ口を閉口させる。このとき、受入れ口に受入れられており、検出手段により検出されていない遊技球は、遊技盤の盤面に放出される。
つまり、受入れ口が閉口するときに、受入れ口に受入れられている遊技球を遊技盤の盤面に放出することができるため、受入れ口に受入れられている遊技球が検出手段により検出されないようにすることができる。
したがって、検出手段による余分な検出数を減少させる遊技球受入れ装置を実現することができる。
たとえば、大当りのときに一度に多くの遊技球が入賞口（受入れ口）に入賞可能なパチンコ機にあっては、遊技球の余分な入賞を減少させることができるため、遊技者が獲得する賞球数の差を減少させることができる。また、検出手段により検出されない遊技球を視認できるため、受入れられた遊技球が検出されたか否か分からないという疑問を遊技者に抱かせるおそれもない。
また、受入れ口を開口した可動部材に受入れられた遊技球は、可動部材の誘導面により通路の入り口へ誘導され、その通路を通って遊技盤の裏側へ案内される。また、受入れ口を閉口するときに誘導面により誘導されている遊技球は、放出口を通って盤面に放出される。
つまり、可動部材は、遊技球を受入れる受入れ口と、誘導面により誘導されている遊技球を盤面に放出する放出口とを備えており、遊技球の受入れおよび放出の２つの作用をする。
したがって、遊技球の受入れを行う手段および放出を行う手段の２つの手段を用いる場合よりも簡易な構成にすることができる。
さらに、可動部材が、通路から盤面の前面に突出した第１の姿勢になって開口した受入れ口から受入れられた遊技球は、通路を通って検出手段へ誘導される。また、可動部材が、受入れ口を閉口すると、その閉口する前に受入れられた遊技球は、検出手段に向かう経路から放出口に向かう経路に変化され、その放出口から盤面に放出される。
つまり、受入れ口が閉口する前に受入れられた遊技球の向かう経路を変化させることにより、上記受入れられた遊技球を放出口から盤面に放出することができるため、遊技者は、遊技球の向かう経路の変化を楽しむことができる。また、放出口は、受入れ口の下方の盤面に形成されているため、受入れ口から受入れられた遊技球が一旦消え、その下方の放出口から出現するという面白さを味わうこともできる。
【００１９】
請求項３に記載の発明では、請求項１または請求項２に記載の遊技球受入れ装置において、前記遊技盤の盤面に戻された遊技球の流下方向に前記受入れ口とは別の受入れ口を備えたという技術的手段を用いる。
【００２０】
つまり、遊技盤の盤面に戻された遊技球の流下方向に前記受入れ口とは別の受入れ口を備えるため、遊技盤の盤面に戻された遊技球が上記別の受入れ口に受入れられる場合が発生する。
したがって、遊技者は、盤面に戻された遊技球がただ単に回収されてしまうのではなく、再度、別の受入れ口に受入れられるかもしれないという期待を抱くことができるため、受入れ口が閉口する前に受入れられた遊技球が総て回収されてしまうことから起きる損失感を軽減できる。
【００２１】
請求項４に記載の発明では、請求項１ないし請求項３のいずれか１つに記載の遊技球受入れ装置において、前記制御手段は、所定の遊技状態のときに前記受入れ口を複数回開閉動作させるという技術的手段を用いる。
【００２２】
つまり、所定の遊技状態のときに受入れ口を複数回開閉動作させる遊技機では、受入れ口が開口するごとに余分に遊技球が受入れられると、受入れ口が複数回開口したときには余分に受入れられた遊技球の数が累積加算され、それにより、余分に検出される遊技球が増加してしまうが、請求項１ないし請求項６のいずれか１つに記載の技術的手段を用いることにより、そのように余分に検出される遊技球が増加することのない遊技球受入れ装置を実現できる。
【００２３】
【発明の実施の形態】
＜第１実施形態＞
以下、この発明に係る遊技球受入れ装置の実施形態について図を参照して説明する。なお、以下に記載する各実施形態では、この発明に係る遊技球受入れ装置が備えられた遊技機として第１種のパチンコ機を例に挙げて説明する。
［全体の主要構成］
まず、この実施形態に係る遊技球受入れ装置が備えられたパチンコ機の主要構成について、そのパチンコ機の外観を示す斜視説明図を参照して説明する。
パチンコ機１には、前枠２が開閉可能に備えられており、その前枠２には、ガラス枠４が開閉可能に取付けられている。前枠２の右側には、ガラス枠４開閉用の鍵を差し込む鍵穴３が設けられている。ガラス枠４の内部には、遊技盤５が設けられており、前枠２の右側下方には、遊技球を遊技盤５へ発射する発射モータ（図６において符号１５ｅで示す）を操作するための発射ハンドル１５ａが回動可能に取付けられている。
【００２４】
ガラス枠４の下方には、賞球や貸球が供給される賞球・貸球供給口６ａが形成されており、この賞球・貸球供給口６ａの供給側には、その賞球・貸球供給口６ａから供給された賞球や貸球を溜めておくための上受け皿６が取り付けられている。上受け皿６の下方には、上受け皿６の収容可能数を超えて流下した賞球や上受け皿球抜きレバー６ｂの操作により上受け皿６から排出された遊技球などを排出する排出口７ａが形成されている。排出口７ａの排出側には、その排出口７ａから排出された遊技球を収容しておくための下受け皿７が設けられている。また、遊技盤５の上方には、枠ランプ９が設けられており、下受け皿７の左側には、灰皿７ｂが設けられている。
【００２５】
［遊技盤５の主要構成］
次に、遊技盤５の主要構成についてそれを示す図２を参照して説明する。
遊技盤５の略中央には、センターケース３０が備えられている。センターケース３０には、天入賞口３１と、３個のＬＥＤからなる普通図柄表示装置３３と、この普通図柄表示装置３３の始動可能な回数を４個のＬＥＤにより表示する普通図柄記憶表示ＬＥＤ３４と、複数の図柄、たとえば「０」〜「９」の数字の特別図柄や背景画像などを液晶で表示する特別図柄表示装置３２と、この特別図柄表示装置３２の始動可能な回数を４個のＬＥＤにより表示する特別図柄記憶表示ＬＥＤ３５とが備えられている。
【００２６】
センターケース３０の左右斜め上には、ＬＥＤにより装飾された装飾風車２１がそれぞれ設けられている。右側の装飾風車２１の右斜め下方には、普通図柄表示装置３３を作動させるための普通図柄作動右ゲート２６が設けられており、左側の装飾風車２１の左斜め下方には、同じく普通図柄作動左ゲート２７が設けられている。普通図柄作動右ゲート２６の下方には、右袖入賞口２２が設けられており、普通図柄作動左ゲート２７の下方には、左袖入賞口２３が設けられている。センターケース３０の下方には、特別図柄表示装置３２の停止図柄が大当り図柄となった場合に作動する変動入賞装置４０が設けられている。この変動入賞装置４０には、大当りの発生時に開放動作して大入賞口４３，４４を開口する羽根状の羽根部材４１，４２が開閉可能に取り付けられている。右側の羽根部材４１の右側には、右下入賞口２４が設けられており、左側の羽根部材４２の左側には、左下入賞口２５が設けられている。
【００２７】
変動入賞装置４０の頂部には、特別図柄表示装置３２を作動させる機能を有する第１種始動口２８が設けられており、この第１種始動口２８の下方には普通図柄表示装置３３の停止図柄が当たり図柄となった場合に両翼を開放する普通電動役物２９が設けられている。両翼を開放した普通電動役物２９は、第１種始動口２８と同様に特別図柄表示装置３２を作動開始させる機能を備えている。
また、変動入賞装置４０の内部には、羽根部材４１，４２を連続して開放動作させる機能を有する特定領域と、この特定領域を通過した遊技球を検出する特定領域スイッチ（図６に符号５３で示す）と、大入賞口４３，４４に入賞した遊技球の数をカウントする大入賞口スイッチ（図６に符号６４で示す）とが設けられている。
【００２８】
また、遊技盤５には、発射された遊技球を遊技領域へ案内するレール１３が取付けられており、遊技盤５の上方左右角部には、コーナー飾り１１がそれぞれ設けられており、遊技盤５の右側および左側には、サイド飾り２０がそれぞれ設けられている。さらに、遊技盤５には、普通の風車１２，１２と、入賞しなかった遊技球をアウト球として回収するアウト口１４とが設けられている。そして、遊技盤５には、多くの釘１５が打ち込まれており、遊技盤５に発射された遊技球は、釘１５の間を乱舞しながら落下し、各入賞口に入賞したり、始動口を通過したり、あるいはアウト口１４から回収されたりする。
【００２９】
（変動入賞装置４０の構造）
次に、変動入賞装置４０の構造について図３ないし図５を参照して説明する。図３は、変動入賞装置４０のうち、遊技盤５の表面に取付けられる表機構を右斜め上方から見た斜視説明図であり、図４は、変動入賞装置４０の表機構、遊技盤５の裏面に取付けられる裏機構および駆動機構を分けて右斜め上方から見た斜視説明図である。図５は、変動入賞装置４０の動きを正面から見た説明図である。なお、以下の説明において、遊技盤５の表面からパチンコ機１の前に座った遊技者に向かう方向を前方と称し、その逆方向を後方と称する。
【００３０】
図４に示すように、変動入賞装置４０は、遊技盤５の表面に取付けられる表機構４０ａ、遊技盤５の裏面に取付けられる裏機構４０ｂおよび駆動機構４０ｃから構成される。図３に示すように、表機構４０ａは、装飾ブラケット４７を備える。装飾ブラケット４７には、ビスにより遊技盤５（図２）の前面に取付けるためのビス孔４７ａが計６箇所に貫通形成されている。装飾ブラケット４７には、その中央下部から前方に突出部４８が突出形成されている。突出部４８には、その前面から右方に右腕部４８ａが延びており、左方に左腕部４８ｂが延びている。また、突出部４８の上面４８ｃは、山形の形状に形成されている。図５に示すように、右腕部４８ａの右端および左腕部４８ｂの左端と、装飾ブラケット４７との間には、軸部材４９がそれぞれ介在されている。右側の軸部材４９には、右側の羽根部材４１の長手方向の中央からやや先端寄りの部分が回動可能に取付けられており、左側の軸部材４９には、左側の羽根部材４２の長手方向の中央からやや先端寄りの部分が回動可能に取付けられている。
【００３１】
羽根部材４１，４２には、開放動作した際に回動軸から斜め上方に傾斜した姿勢となる第１案内部４１ａ，４２ａと、回動軸から突出部４８の上面４８ｃに向けてやや下り勾配の姿勢となる第２案内部４１ｂ，４２ｂとがそれぞれ形成されている。第２案内部４１ｂ，４２ｂの傾斜角度は、第１案内部４１ａ，４２ａの傾斜角度よりも小さく設定されている。第１案内部４１ａ，４２ａおよび第２案内部４１ｂ，４２ｂの上面は、前後方向に複数の溝が形成された誘導面となっている。
装飾ブラケット４７の前面上部には、普通電動役物２９が取付けられている。普通電動役物２９の前面には、前面板２９ａが取付けられており、図５に示すように、前面板２９ａと装飾ブラケット４７との間には、軸部材２９ｂ，２９ｂが介在されている。軸部材２９ｂ，２９ｂには、羽根部材２９ｃの基端部分がそれぞれ回動可能に取付けられている。
【００３２】
前面板２９ａと装飾ブラケット４７との間であって、右側の羽根部材２９ｃの基端部近傍からは、突出部２９ｄが右側方に突出形成されており、左側の羽根部材２９ｃの基端部近傍からは、突出部２９ｅが左側方に突出形成されている。装飾ブラケット４７の略中央には、案内孔４７ｂが貫通形成されており、その案内孔４７ｂは、遊技盤５に貫通形成された通路（図示省略）に連通している。
図４および図５に示すように、羽根部材４１，４２が開放動作している場合は、右側の羽根部材４１の先端部４１ｃと、右側の突出部２９ｄの右下角部２９ｆとの間に大入賞口４３が形成され、左側の羽根部材４２の先端部４２ｃと、左側の突出部２９ｅの左下角部２９ｇとの間に大入賞口４４が形成される。このとき、突出部４８の上面４８ｃを介して第１案内部４１ａから第１案内部４２ａまでが連続した形態となる。
【００３３】
また、図３および図５（一点鎖線）に示すように、羽根部材４１，４２が閉口動作している場合は、右側の羽根部材４１の先端部４１ｃと、右側の突出部２９ｄの右下角部２９ｆとが接近することにより、大入賞口４３が閉口され、左側の羽根部材４２の先端部４２ｃと、左側の突出部２９ｅの左下角部２９ｇとが接近することにより、大入賞口４４が閉口される。このとき、右側の羽根部材４１の基端部４１ｄと突出部４８の右下角部４８ｄとの間に放出口５０が形成され、左側の羽根部材４２の基端部４２ｄと突出部４８の左下角部４８ｅとの間に放出口５１が形成される。放出口５０，５１は、大入賞口４３，４４から入賞し、第１案内部４１ａから第１案内部４２ａまでの部分に滞留している遊技球を遊技盤５の遊技盤面に排出する役割をする。
【００３４】
図４に示すように、裏機構４０ｂは、ハウジング５２を備えており、ハウジング５２は、遊技盤５の裏面において表機構４０ａと対応する箇所に取付けられている。ハウジング５２の中央下部には、下面が開口した空間５２ａが形成されており、その空間５２ａには、案内孔４７ｂから通路を介して遊技盤５の裏面に案内された遊技球Ｐを検出する特定領域スイッチ５３が設けられている。この裏機構４０ｂから流下経路Ｗ１〜Ｗ３により流下した遊技球は、大入賞口スイッチ６４により検出される。その検出信号は、大入賞口中継基板７０を介してメインＣＰＵ１１２に入力され、メインＣＰＵ１１２は、その検出信号に基づいて入賞数を計数する。大入賞口スイッチ６４には、電源基板８０により通電されており、その電源基板８０と大入賞口スイッチ６４との間にはスイッチ８１が接続されている。このスイッチ８１は、メインＣＰＵ１１２に接続されており、メインＣＰＵ１１２からの命令により、ＯＮ・ＯＦＦし、ＯＦＦにより大入賞口スイッチ６４の機能を停止させ、ＯＮにより機能させる。
【００３５】
ハウジング５２の両側には、棒状のロッド５４，５４が前後方向に挿通されており、各ロッド５４の後端は、縦断面が長孔形状の連結部材５５の一端寄りにそれぞれ挿通されている。各連結部材５５の他端寄りには、棒状のロッド５６がそれぞれ挿通されている。各ロッド５４の先端は、羽根部材４１，４２の各軸部材４９（図５）に連結される。また、ハウジング５２の前面両側には、ＬＥＤ５７が２個ずつ取付けられている。
なお、この実施形態では、特定領域スイッチ５３として変流器を使用する。
駆動機構４０ｃは、板状の取付板５８を備えており、その取付板５８には、大入賞口ソレノイド５９，５９が横方向に並んで取付けられている。各大入賞口ソレノイド５９のプランジャ（図示省略）の下端には、ロッド５６がそれぞれ取付けられる。
つまり、各大入賞口ソレノイド５９が駆動し、プランジャが伸縮すると、その直線運動が各連結部材５５の回動運動に変換され、ロッド５４が回動し、軸部材４９が回転するので、羽根部材４１，４２が開閉動作する。
【００３６】
［パチンコ機１の電気的構成］
次に、パチンコ機１の電気的構成についてそれをブロックで示す図６を参照して説明する。
パチンコ機１には、主基板１００が設けられており、この主基板１００には、マイクロプロセッサ１１０が搭載されている。マイクロプロセッサ１１０には、大当りの判定やラウンドの制御など、遊技の主な制御を実行するメインＣＰＵ１１２と、このメインＣＰＵ１１２が各種制御を実行するための各種制御プログラムなどが記録されたＲＯＭ１１４と、遊技球が第１種始動口２８を通過したことの検出結果などの遊技中に発生する各種データ、ＲＯＭ１１４から読出された制御プログラムなどを一時的に格納するＲＡＭ１１６とが搭載されている。
【００３７】
主基板１００には、次に記載するものが電気的に接続されている。遊技球が第１種始動口２８を通過したことを検出する第１種始動口スイッチ２８ａ、特別図柄表示装置３２、ＬＥＤやランプ類を制御するランプ制御装置３００、電源基板８０、賞球の払出しなどを制御する払出制御基盤２００、遊技中の効果音などを制御する音声制御装置７９、入賞や大当りなどに関する遊技盤情報をパチンコホールの管理室などに設けられたコンピュータ（図示省略）へ送信するための遊技枠情報端子基板７２、盤面中継基板７１、遊技枠中継基板７３である。
【００３８】
払出制御基盤２００には、主基板１００から送出される制御コマンドを入力して動作するマイクロプロセッサ２１０が搭載されており、マイクロプロセッサ２１０には、賞球の払出しなどを制御するサブＣＰＵ２１２と、このサブＣＰＵ２１２が賞球の払出しなどの制御を実行するための各種制御プログラムが記録されたＲＯＭ２１４と、サブＣＰＵ２１２が各種制御プログラムを実行する際にＲＯＭ２１４から読出された制御プログラムや遊技中に発生する入賞数や賞球数などの各種データを一時的に格納するＲＡＭ２１６とが搭載されている。
また、払出制御基盤２００には、電源基板８０、発射モータ１５ｅを駆動するための発射モータ駆動基板１５ｃ、遊技枠情報端子基板７２および払出中継基板７５が電気的に接続されている。発射モータ駆動基板１５ｃには、発射モータ駆動基板１５ｃから発射モータ１５ｅへ駆動信号を出力させるための発射スイッチ１５ｄが接続されている。
【００３９】
遊技枠中継基板７３には、満杯検出スイッチ７７およびセンサ中継基板７４が電気的に接続されている。センサ中継基板７４は、賞球ユニット６２に備えられた賞球払出センサ６２ａ，６２ｂおよび払出中継基板７５と電気的に接続されている。払出中継基板７５には、貸球切れスイッチ７６、賞球払出モータ６２ｃおよび貸球ユニット６３が電気的に接続されている。
盤面中継基板７１には、普通電動役物２９を駆動する普通電動役物ソレノイド２９ｈ、普通図柄表示装置３３、普通図柄作動右ゲート２６を通過した遊技球を検出する右ゲートスイッチ２６ａ、普通図柄作動左ゲート２７を通過した遊技球を検出する左ゲートスイッチ２７ａ、右袖入賞口２２に入賞した遊技球を検出する右袖入賞口スイッチ２２ａ、左袖入賞口２３に入賞した遊技球を検出する左袖入賞口スイッチ２３ａ、天入賞口３１に入賞した遊技球を検出する天入賞口スイッチ３１ａ、右下入賞口２４に入賞した遊技球を検出する右下入賞口スイッチ２４ａ、左下入賞口２５に入賞した遊技球を検出する左下入賞口スイッチ２５ａおよび大入賞口中継基板７０である。
大入賞口中継基板７０には、大入賞口ソレノイド５９，５９、特定領域スイッチ５３および大入賞口スイッチ６４が電気的に接続されている。
電源基板８０は、ＡＣ２４Ｖ（５０Ｈｚ／６０Ｈｚ）の主電源７８から電源の供給を受け、各基板へ必要電源を供給する。
【００４０】
（変動入賞装置４０の動作）
次に、変動入賞装置４０の動作について図７を参照して説明する。
図７は、メインＣＰＵ１１２が実行する大入賞口処理の流れを示すフローチャートである。
遊技球が第１種始動口２８を通過すると、特別図柄表示装置３２が画面の横方向３箇所に複数の特別図柄を上下にスクロール表示する。そして、３箇所において同じ特別図柄が停止すると、大当りが発生する。
メインＣＰＵ１１２は、大当りの発生を示す大当りフラグが立っていると判定すると（ステップ（以下、Ｓと略す）１０：Ｙｅｓ）、実行されたラウンドの数を示すラウンド数Ｒに「１」を加算する（Ｓ１２）。続いてメインＣＰＵ１１２は、大入賞口４３，４４を開口させるための開口コマンドを大入賞口ソレノイド５９，５９へ出力する（Ｓ１６）。これにより、大入賞口ソレノイド５９，５９が動作し、羽根部材４１，４２が開放動作し、大入賞口４３，４４が開口する。
【００４１】
そして、図４に示すように、大入賞口４３，４４から入賞した遊技球Ｐは、第１案内部４１ａ，４２ａおよび第２案内部４１ｂ，４２ｂの上面により、突出部４８の上面４８ｃまで案内され、さらに案内孔４７ｂから通路を介して裏機構４０ｂに案内される。裏機構４０ｂに案内された遊技球Ｐは、空間５２ａにおいて不定方向に進み、流下経路Ｗ１，Ｗ２およびＷ３のいずれかの流下経路をたどって流下する。これらの流下した遊技球は、大入賞口スイッチ６４により検出される。
メインＣＰＵ１１２は、大入賞口４３，４４が開口してからの時間がｔ１を経過したか否かを判定し（Ｓ１８）、ｔ１を経過していない場合は（Ｓ１８：Ｎｏ）、大入賞口スイッチ６４によるカウント値Ｐ１が「１０」に達したか否かを判定する（Ｓ２０）。そしてメインＣＰＵ１１２は、ｔ１を経過したと判定した場合（Ｓ１８：Ｙｅｓ）、あるいはカウント値Ｐ１が「１０」に達した場合は（Ｓ２０：Ｙｅｓ）、スイッチ８１をＯＦＦする（Ｓ２６）。
【００４２】
これにより、電源基板８０から大入賞口スイッチ６４への通電が停止し（図４）、大入賞口スイッチ６４の遊技球の検出機能が停止する。
つまり、大入賞口４３，４４から入賞した遊技球のうち、既に裏機構４０ｂに流下し、大入賞口スイッチ６４に向かっている遊技球が存在する場合であっても、大入賞口スイッチ６４の検出機能が停止しているため、それらの遊技球が大入賞口スイッチ６４により検出されることがない。
続いてメインＣＰＵ１１２は、大入賞口４３，４４を閉口させるための閉口コマンドを大入賞口ソレノイド５９，５９へ出力する（Ｓ２８）。
これにより、大入賞口ソレノイド５９，５９が動作し、羽根部材４１，４２が閉口動作し、大入賞口４３，４４が閉口する。このとき、図３および図５（一点鎖線）に示すように、右側の大入賞口４３から入賞した遊技球の流下方向には、放出口５０が開口形成され、左側の大入賞口４４から入賞した遊技球の流下経路には、放出口５１が形成される。このため、大入賞口４３，４４から入賞し、第１案内部４１ａから第１案内部４２ａまでの部分に滞留している遊技球は、放出口５０，５１を通って遊技盤５の遊技盤面に排出される。
【００４３】
続いてメインＣＰＵ１１２は、ラウンド数Ｒが「１６」に達したか否かを判定し（Ｓ３０）、達していない場合は（Ｓ３０：Ｎｏ）、特定領域スイッチ５３がＯＮしたか否か、つまり遊技球が特定領域を通過したか否かを判定する（Ｓ３２）。続いてメインＣＰＵ１１２は、特定領域スイッチ５３がＯＮしている場合は（Ｓ３２：Ｙｅｓ）、カウント値Ｐ１を０リセットし（Ｓ３４）、スイッチ８１をＯＮし（Ｓ３６）、次のラウンドを実行する（Ｓ１０〜Ｓ２８）。
そしてメインＣＰＵ１１２は、ラウンド数Ｒが「１６」に達した場合（Ｓ３０：Ｙｅｓ）、あるいは特定領域スイッチ５３がＯＮしていない場合は（Ｓ３２：Ｎｏ）、ラウンド数Ｒおよびカウント値Ｐ１を０リセットし（Ｓ３８）、大当りフラグをリセットし（Ｓ４０）、大入賞口処理の今回のルーチンを終了する。
【００４４】
［第１実施形態の効果］
（１）以上のように、第１実施形態の変動入賞装置４０を実施すれば、大入賞口４３，４４が開口してからｔ１を経過したか、あるいは大入賞口４３，４４への入賞数のカウント値Ｐ１が「１０」に達した場合は、即座にスイッチ８１をＯＦＦし、大入賞口スイッチ６４の検出機能を停止させることができるため、カウント値Ｐ１が「１０」を超えることがない。
つまり、大入賞口スイッチ６４によるカウント値Ｐ１が「１０」を超えないようにすることができる。
したがって、大当りにより遊技者が獲得する賞球数の差を小さくすることができるため、遊技者間で不公平が生じることもない。
（２）しかも、大入賞口４３，４４が閉口したときに、放出口５０，５１が形成されるため、大入賞口４３，４４が閉口したときに既に羽根部材４１，４２の上に滞留していた遊技球を放出口５０，５１から遊技盤５の盤面へ排出することができる。
つまり、大入賞口４３，４４が閉口する直前に入賞した遊技球を裏機構４０ｂへ流下させる構成では、遊技者は、入賞数に比例した数の賞球が払出されないという疑問を抱くおそれがあるが、上記直前に入賞した遊技球を盤面に戻すことができるため、遊技者が上記疑問を抱くおそれがない。
【００４５】
（３）また、表機構４０ａが遊技球の受入れおよび放出の２つの作用をするため、遊技球の受入れを行う装置および放出を行う装置の２つの装置を用いる場合よりも簡易な構成にすることができる。
（４）さらに、大入賞口４３，４４に入賞した遊技球は、その大入賞口４３，４４が閉口するときに、自身の流下方向に開口された放出口から盤面の上に放出されるため、大入賞口４３，４４に入賞した遊技球を、その流れを利用して自然に放出できる。
したがって、遊技球をその流れに逆らって放出するための特別な手段を設ける必要がない。
【００４６】
＜第２実施形態＞
次に、この発明の第２実施形態について図８および図９を参照して説明する。図８は、第２実施形態の変動入賞装置の表機構を右斜め上方から見た斜視説明図である。図８（Ａ）は、大入賞口が開口した状態を示す説明図であり、図８（Ｂ）は、大入賞口が閉口した状態を示す説明図である。図９（Ａ）は、図８（Ａ）のＡ−Ａ線矢視断面説明図を含む変動入賞装置の断面説明図であり、図９（Ｂ）は、図８（Ｂ）のＡ−Ａ線矢視断面説明図を含む変動入賞装置の断面説明図である。
【００４７】
（変動入賞装置９０の構造）
表機構９１ａは、第１実施形態の変動入賞装置４０とはデザインの異なる装飾ブラケット９８を備えており、この装飾ブラケット９８には、右下入賞口２４と左下入賞口２５とが設けられている。装飾ブラケット９８の中央上部寄りには、横長の通路９３が前後方向に貫通形成されており、その通路９３の開口部の両端には、可動部材９２が開閉可能に取付けられている。可動部材９２は、横長で板状の板状部９２ａと、その両側に形成された側板部９２ｂ，９２ｃとを備えており、上面が開口形成されている。可動部材９２が開口動作した際の板状部９２ａの上端と、通路９３の上端との間に大入賞口９９が開口形成される。
また、装飾ブラケット９８の前面であって、可動部材９２の下部には、上方から流下した遊技球を左右に振り分ける振分け部材９４が前方に突出形成されている。振分け部材９４の上面は、上向きに湾曲した形状に形成されており、その内部には、放出空間９５が形成されている。放出空間９５は、装飾ブラケット９８の下部に前後方向に貫通形成された放出口９８ａ（図９）と連通している。
【００４８】
図９に示すように、表機構９１ａには、遊技盤５の裏面側の裏機構９１ｂが取付けられている。裏機構９１ｂの内部空間９０ａの底部９０ｂには、リブ９７が上方に突出形成されており、そのリブ９７の上には、案内部材９６が上方に突出形成されている。案内部材９６は、後下がりに傾斜しており、その上面は、開口動作した可動部材９２の上面（誘導面）９２ｄの面方向と一致している。つまり、大入賞口９９から入賞した遊技球Ｐを可動部材９２の上面９２ｄから案内部材９６の上面９６ｂを通って内部空間９０ａの後方下部へ流下させる。その流下方向の１つであって、底部９０ｂには、特定領域スイッチ５３が取付けられており、特定領域スイッチ５３は、大入賞口９９から入賞して流下経路Ｗ４により流下した遊技球Ｐを検出する。図示しないが、流下経路Ｗ４および他の流下経路を流下した遊技球が集合する位置には、大入賞口スイッチ６４（図４）が設けられている。また、変動入賞装置４０と同じように、大入賞口スイッチ６４には、スイッチ８１が接続されており、そのスイッチ８１は、メインＣＰＵ１１２によりＯＮ・ＯＦＦされ、大入賞口スイッチ６４が機能および機能停止する。
【００４９】
（変動入賞装置９０の動作）
大当りが発生すると、図９（Ａ）に示すように可動部材９２が開放動作し（第１の姿勢）、大入賞口９９が開口する。そして、大入賞口９９から入賞した遊技球Ｐは、可動部材９２の板状部９２ａの上面９２ｄおよび案内部材９６の上面９６ｂを流下し、さらに、リブ９７の上面９７ｂに衝突し、下方に案内される。ここで、遊技球は、流下経路Ｗ４により流下するものと、流下経路Ｗ４以外の流下経路により流下するものとに分かれる。各流下経路により流下した遊技球は、大入賞口スイッチ６４により検出され、メインＣＰＵ１１２がその検出信号に基づいて入賞数Ｐ１をカウントする（図７）。そしてそのカウント値Ｐ１が所定値（たとえば「１０」）に達するか、あるいは大入賞口９９の開口時間がｔ１を経過すると、大入賞口スイッチ６４の検出機能が停止し、図９（Ｂ）に示すように、可動部材９２が閉口動作し、大入賞口９９が閉口する（第２の姿勢）。
【００５０】
このとき、図９（Ｂ）に示すように、既に大入賞口９９から入賞し、板状部９２ａの上面９２ｄに存在する遊技球Ｐは、可動部材９２の閉口動作により、上面９２ｄから下方に転がり落ちる。このとき、遊技球は遊技者の視界から消える。その転がり落ちた遊技球Ｐは、案内部材９６の前面９６ａおよびリブ９７の前面９７ａに衝突して下方に案内され、放出経路Ｗ５により、放出口９８ａから放出空間９５を介して遊技盤５の盤面に排出される。このとき、遊技球は、遊技者の視界内に出現する。
つまり、案内部材９６おおびリブ９７は、大入賞口９９が開口している場合には、入賞した遊技球を大入賞口スイッチ６４へ案内する役割を果たし、大入賞口９９が閉口する場合には、大入賞口９９が閉口する直前に入賞した遊技球Ｐを盤面に排出する役割を果たす。
【００５１】
［第２実施形態の効果］
（１）以上のように、第２実施形態の変動入賞装置９０を実施すれば、大入賞口スイッチ６４によるカウント値が所定値に達した以降は、大入賞口９９が閉口する直前に入賞した遊技球Ｐを盤面に排出することができるため、遊技球Ｐが大入賞口スイッチ６４に到達しないように規制することができる。
つまり、大入賞口スイッチ６４によるカウント値Ｐ１が、「１０」を超え難くすることができる。
したがって、大当りにより払出される賞球数の差を小さくすることができる。
（２）しかも、大入賞口９９が閉口する前に入賞した遊技球の向かう経路を変化させることにより、入賞した遊技球を放出口９８ａから盤面の上に放出することができるため、遊技者は、遊技球の向かう経路の変化を楽しむことができる。また、放出口９８ａは、大入賞口９９の下方に形成されているため、大入賞口９９から入賞した遊技球が一旦消え、その下方の放出口９８ａから出現するという面白さを味枠こともできる。
（３）また、可動部材９２が閉口するときに、板状部９２ａの上面９２ｄから落下した遊技球Ｐは、案内部材９６の前面９６ａおよびリブ９７の前面９７ａに衝突して下方に案内されるため、遊技球Ｐの自然な流下のみに任せて案内するよりも確実に案内することができる。
【００５２】
＜第３実施形態＞
次に、この発明の第３実施形態について図１０および図１１を参照して説明する。
図１０は、この実施形態の変動入賞装置に備えられた大入賞口スイッチの近傍の構造を示す断面説明図である。図１０（Ａ）は、大入賞口スイッチが機能している場合の断面説明図であり、図１０（Ｂ）は、大入賞口スイッチが機能していない場合の断面説明図である。図１１は、メインＣＰＵ１１２が実行する大入賞口処理の流れを示すフローチャートである。
なお、第１実施形態と同じ構成および処理については同じ符号を使用し、同じ部分の説明を省略する。
【００５３】
上下方向に流下空間９８ｂが形成されており、その流下空間９８ｂの隣には、排出空間９８ｃが形成されている。流下空間９８ｂおよび排出空間９８ｃは、横穴９８ｄにより連通している。その横穴９８ｄの右方には、流下空間９８ｂと連通する横穴９８ｅが形成されており、その横穴９８ｅの右方には、検出口開閉ソレノイド４００が設けられている。
検出口開閉ソレノイド４００のプランジャ４０１の先端には、縦断面が三角形状の開閉部材４０２が取付けられている。開閉部材４０２の底面は、大入賞口スイッチ６４の検出口６４ａの上面に位置する場合に、遊技球Ｐが検出口６４ａを通過できない大きさに形成されている。傾斜面４０２ａは、プランジャ４０１が伸張し、開閉部材４０２が検出口６４ａを覆ったときに、流下空間９８ｂから排出空間９８ｃに向けて下り勾配となるように形成されている。
【００５４】
大当りが発生し、大入賞口から入賞した遊技球Ｐは、流下空間９８ｂ内を流下し、大入賞口スイッチ６４により検出され、流下経路Ｗ６により流下する。このとき、検出口開閉ソレノイド４００はＯＦＦ状態にあり、プランジャ４０１は退縮した状態となっている。そしてメインＣＰＵ１１２は、大入賞口の開口時間がｔ１になったか（Ｓ１８：Ｙｅｓ）、あるいは入賞数のカウント値Ｐ１が「１０」になったと判定すると（Ｓ２０：Ｙｅｓ）、検出口開閉ソレノイド４００を駆動するための検出口開閉ソレノイドＯＮ信号を検出口開閉ソレノイド４００へ出力する（Ｓ２６）。これにより、検出口開閉ソレノイド４００がＯＮし、プランジャ４０１が伸張し、開閉部材４０２が大入賞口スイッチ６４の検出口６４ａの上に進出する。そして、大入賞口を閉口した直前に入賞した遊技球Ｐおよび大入賞口から大入賞口スイッチ６４に至る流下経路に存在する遊技球Ｐは、流下途中で開閉部材４０２の傾斜面４０２ａに衝突する。続いてその衝突により、横穴９８ｄの方に方向転換され、排出空間９８ｃ内を流下経路Ｗ７により流下する。
【００５５】
［第３実施形態の効果］
以上のように、第３実施形態の変動入賞装置を実施すれば、大入賞口スイッチ６４によるカウント値が所定値に達した以降は、大入賞口が閉口する直前に入賞した遊技球Ｐおよび大入賞口から大入賞口スイッチ６４に至る流下経路に存在する遊技球Ｐの流下経路を変換することにより、それらの遊技球Ｐが大入賞口スイッチ６４により検出されないように規制することができる。
つまり、大入賞口スイッチ６４によるカウント値Ｐ１が、「１０」を超えないようにすることができる。
したがって、大当りにより払出される賞球数の差をなくすことができる。
【００５６】
＜第４実施形態＞
次に、この発明の第４実施形態について図１２を参照して説明する。
図１２は、この実施形態の変動入賞装置が備えられた遊技盤の正面図である。
なお、第１実施形態と同じ構成については同じ符号を使用し、同じ部分の説明を省略する。
変動入賞装置４０の放出口５０，５１の下方、つまり放出口５０，５１から放出された遊技球の流下方向には、入賞口１０が設けられている。この入賞口１０に遊技球が入賞した場合は、所定数（たとえば１５個）の賞球が払出される。
以上のように、第３実施形態の変動入賞装置４０は、放出口５０，５１から放出された遊技球の流下方向に入賞口１０を備えるため、遊技者は、盤面に戻された遊技球がただ単にアウト口１４から回収されてしまうのではなく、再度、入賞口１０に入賞するかもしれないという期待を抱くことができる。
したがって、大入賞口４３，４４が閉口する前に入賞した遊技球が総てアウト口１４から回収されてしまうことから起きる損失感を軽減できる。
【００５７】
＜他の実施形態＞
（１）第１実施形態では、図４に示したように、大入賞口スイッチ６４が大入賞口４３，４４から遠く離れた位置に設けられている場合を説明したが、案内孔４７ｂの入り口に大入賞口スイッチを設けることもできる。この場合、その大入賞口スイッチにより所定数の入賞球が検出されたと同時に羽根部材４１，４２を閉口動作させて大入賞口４３，４４を閉口し、放出口５０，５１を開口すれば、羽根部材４１，４２の上に滞留し、大入賞口スイッチにより検出されていない総ての遊技球を放出口５０，５１から盤面に排出することができる。
したがって、この構成を採用する場合は、大入賞口スイッチの機能を停止させるためのスイッチ８１などが不要となる。また、メインＣＰＵ１１２によるスイッチ８１の制御も不要となる。
【００５８】
（２）大入賞口を閉口する際に大入賞口スイッチ６４の機能を停止させる構成を省くこともできる。この構成によれば、大入賞口が閉口したときに既に大入賞口スイッチに向けて流下している遊技球は、大入賞口スイッチにより検出されてしまうが、羽根部材４１，４２または可動部材９２により誘導されている遊技球については盤面に放出できるため、そのような放出を行わない場合よりも、大入賞口スイッチによる余分な検出数を減少させることができる。また、大入賞口スイッチの機能を停止させる構成を有するものよりも、そのような構成を省く分、装置のコストを低減できる。
（３）前述の各実施形態では、大入賞口スイッチ６４として、変流器を使用した場合を例に挙げて説明したが、Ｃｄｓセンサやフォトインタラプタなどの光センサ、あるいは、マイクロスイッチなどを使用することもできる。
（４）前述の各実施形態では、この発明に係る遊技球受入れ装置として、第１種パチンコ機に備えられた変動入賞装置を例に挙げて説明したが、第２種パチンコ機または第３種パチンコ機あるいはアレンジボールや雀球などの遊技機にもこの発明を適用できることは勿論である。
【００５９】
［請求項と実施形態との対応関係］
第１実施形態の大入賞口４３，４４が、請求項１に記載の受入れ口に対応し、大入賞口スイッチ６４が検出手段に対応する。また、入賞口１０が請求項３に記載の別の受入れ口に対応する。
そして、メインＣＰＵ１１２が実行するＳ２０が計数手段として機能し、Ｓ２８が制御手段として機能する。
【図面の簡単な説明】
【図１】この発明の実施形態に係る遊技球受入れ装置が備えられたパチンコ機１の外観を示す斜視説明図である。
【図２】図２は、図１に示すパチンコ機１に設けられた遊技盤５の主要構成を示す説明図である。
【図３】図２に示す遊技盤５に設けられた変動入賞装置４０のうち、遊技盤５の表面に取付けられる表機構４０ａを右斜め上方から見た斜視説明図である。
【図４】図２に示す遊技盤５に設けられた変動入賞装置４０の表機構４０ａ、遊技盤５の裏面に取付けられる裏機構４０ｂおよび駆動機構４０ｃを分けて右斜め上方から見た斜視説明図である。
【図５】図４に示す変動入賞装置４０の動きを正面から見た説明図である。
【図６】図１に示すパチンコ機１の電気的構成をブロックで示す説明図である。
【図７】メインＣＰＵ１１２が実行する大入賞口処理の流れを示すフローチャートである。
【図８】図８は、第２実施形態の変動入賞装置９０の表機構９１ａを右斜め上方から見た斜視説明図である。図８（Ａ）は、大入賞口９９が開口した状態を示す説明図であり、図８（Ｂ）は、大入賞口９９が閉口した状態を示す説明図である。
【図９】図９（Ａ）は、図８（Ａ）のＡ−Ａ線矢視断面説明図を含む変動入賞装置９０の断面説明図であり、図９（Ｂ）は、図８（Ｂ）のＡ−Ａ線矢視断面説明図を含む変動入賞装置９０の断面説明図である。
【図１０】図１０は、第３実施形態の変動入賞装置に備えられた大入賞口スイッチ６４の近傍の構造を示す断面説明図である。図１０（Ａ）は、大入賞口スイッチ６４が機能している場合の断面説明図であり、図１０（Ｂ）は、大入賞口スイッチ６４が機能していない場合の断面説明図である。
【図１１】メインＣＰＵ１１２が実行する大入賞口処理の流れを示すフローチャートである。
【図１２】第４実施形態の変動入賞装置が備えられた遊技盤の正面図である。
【図１３】羽根式の変動入賞装置を備えた従来の第１種パチンコ機の正面説明図である。
【図１４】図１４（Ａ）は、図１３に示す第１種パチンコ機に設けられた変動入賞装置に遊技球が入賞する様子を示す説明図であり、図１４（Ｂ）は、図１３に示す変動入賞装置に入賞した遊技球の流下経路を示す説明図である。
【図１５】扉式の変動入賞装置を備えた従来の第１種パチンコ機の正面説明図である。
【図１６】図１６（Ａ）は、図１５に示す第１種パチンコ機に設けられた変動入賞装置に遊技球が入賞する様子を示す説明図であり、図１６（Ｂ）は、図１５に示す変動入賞装置に入賞した遊技球の流下経路を示す説明図である。
【符号の説明】
１    パチンコ機
４０ａ  表機構（受入れ手段）
４３，４４    大入賞口（受入れ口）
５０，５１    放出口
６４    大入賞口スイッチ（検出手段）
８１    ＳＷ
１１２    メインＣＰＵ
Ｐ    遊技球
【図１】
0003976501.tif 000002
【図２】
0003976501.tif 000003
【図３】
0003976501.tif 000004
【図４】
0003976501.tif 000005
【図５】
0003976501.tif 000006
【図６】
0003976501.tif 000007
【図７】
0003976501.tif 000008
【図８】
0003976501.tif 000009
【図９】
0003976501.tif 000010
【図１０】
0003976501.tif 000011
【図１１】
0003976501.tif 000012
【図１２】
0003976501.tif 000013
【図１３】
0003976501.tif 000014
【図１４】
0003976501.tif 000015
【図１５】
0003976501.tif 000016
【図１６】
0003976501.tif 000017